(57)【要約】  Ａ／Ｎリソースを割り振るためのシステム、デバイス、および方法が開示される。一実施形態では、方法は、第１のセル内のユーザ装置の肯定応答または否定応答（Ａ／Ｎ）チャネルを示すステップを含み、Ａ／Ｎチャネルは、第１の値および第２の値に従い、第１の値は、物理層パラメータによって決定され、第２の値は、上位レイヤでのシグナリングによって示され、Ａ／Ｎチャネルは、第２のセルのダウンリンク伝送に対応する。
2014531152.tif 000002
【特許請求の範囲】
【請求項１】
第１のセル内のユーザ装置の肯定応答または否定応答（Ａ／Ｎ）チャネルを示すステップであって、前記Ａ／Ｎチャネルが、第１の値および第２の値に従うステップ
を含む方法であって、
前記第１の値が、物理層パラメータによって決定され、
前記第２の値が、上位レイヤのシグナリングによって示され、
前記Ａ／Ｎチャネルが、第２のセルのダウンリンク伝送に対応する
方法。
【請求項２】
ダウンリンク伝送が、ダウンリンク制御シグナリング伝送および／またはダウンリンクデータ伝送を含む請求項１に記載の方法。
【請求項３】
前記ダウンリンク制御シグナリング伝送が、物理ダウンリンク制御チャネル（ＰＤＣＣＨ）伝送および／またはＥ−ＰＤＣＣＨ伝送を含む請求項２に記載の方法。
【請求項４】
前記パラメータが、制御フィールド・インジケータである請求項１に記載の方法。
【請求項５】
前記パラメータが、ダウンリンク制御情報によって示される請求項１に記載の方法。
【請求項６】
前記パラメータが、１つまたは複数のダウンリンク伝送の巡回冗長検査にマスクされる請求項１に記載の方法。
【請求項７】
前記第２の値が、無線リソース制御層でのシグナリングによって示される請求項１に記載の方法。
【請求項８】
前記第１の値および前記第２の値に従って前記ユーザ装置の前記Ａ／Ｎチャネルを示すステップが、
前記第１の値を使用してインデックスを計算するステップと、
前記インデックスと前記第２の値とを組み合わせて、前記Ａ／Ｎチャネルのインデックスを得るステップと
を含む請求項１に記載の方法。
【請求項９】
ユーザ装置を操作するための方法であって、
物理層パラメータによって第１の値を決定するステップと、
上位レイヤでのシグナリングによって第２の値を受信するステップと、
前記第１の値および前記第２の値に従って、第１のセル内での肯定応答または否定応答（Ａ／Ｎ）チャネル・インデックスを計算するステップと
を含み、
前記Ａ／Ｎチャネル・インデックスが、第２のセルのダウンリンク伝送に対応する
方法。
【請求項１０】
前記パラメータが、制御フィールド・インジケータである請求項９に記載の方法。
【請求項１１】
前記ダウンリンク制御シグナリング伝送が、物理ダウンリンク制御チャネル（ＰＤＣＣＨ）伝送および／またはＥ−ＰＤＣＣＨ伝送を含む請求項１０に記載の方法。
【請求項１２】
物理層パラメータによって第１の値を決定し、上位レイヤのシグナリングによって第２の値を決定するように構成された回路と、
前記第１のセル内で、前記第１の値および前記第２の値に従って肯定応答または否定応答（Ａ／Ｎ）チャネル位置を計算するように構成された回路と
を備えるユーザ装置（ＵＥ）であって、
前記Ａ／Ｎチャネルが、第２のセルのダウンリンク伝送に対応する
ＵＥ。
【請求項１３】
前記パラメータが、ダウンリンク制御情報によって示される請求項１２に記載のＵＥ。
【請求項１４】
前記第２の値が、無線リソース制御層でのシグナリングによって示される請求項１２に記載のＵＥ。
【請求項１５】
前記ＵＥが、前記第１の値に従ってインデックスを取得し、前記ＵＥが、前記インデックスと前記第２の値を合算して、Ａ／Ｎチャネル・インデックスを決定する請求項１２に記載のＵＥ。
【請求項１６】
前記ダウンリンク制御シグナリング伝送が、物理ダウンリンク制御チャネル（ＰＤＣＣＨ）伝送および／またはＥ−ＰＤＣＣＨ伝送を含む請求項１２に記載の方法。
【発明の詳細な説明】
【技術分野】
【０００１】
本発明は、一般に、無線通信に関し、より詳細には、無線通信システムで通信するためのシステムおよび方法に関する。
【背景技術】
【０００２】
近年、無線通信システムは急速に発達しており、今では、有線通信システムに近いデータ・レート、優れた信頼性、低い展開コスト、高い移動性などを提供している。そのような多くの利点によって、無線通信システムおよびそのユーザは、これまで以上に急速に増加すると予想される。
【０００３】
協調マルチポイント伝送（Ｃｏｏｐｅｒａｔｅｄ  Ｍｕｌｔｉ−Ｐｏｉｎｔ  Ｔｒａｎｓｍｉｓｓｉｏｎ：ＣｏＭＰ）方式は、ロング・ターム・エボリューション・アドバンスト（Ｌｏｎｇ  Ｔｅｒｍ  Ｅｖｏｌｕｔｉｏｎ−Ａｄｖａｎｃｅｄ：ＬＴＥ−Ａ）において、高データ・レートのカバレッジを改良する、セル・エッジ・スループットを改良する、および／または高ロード・シナリオと低ロード・シナリオとの両方でシステム・スループットを高めるためのツールとみなされる。ダウンリンク協調マルチポイント伝送は、複数の伝送ポイント間の協調を意味する。
【発明の概要】
【課題を解決するための手段】
【０００４】
本発明の一態様によれば、方法が、第１のセル内のユーザ装置の肯定応答または否定応答（Ａ／Ｎ）チャネルを示すステップであって、Ａ／Ｎチャネルが、第１の値および第２の値に従うステップを含み、第１の値が、物理層パラメータによって決定され、第２の値が、上位レイヤでのシグナリングによって示され、Ａ／Ｎチャネルが、第２のセルのダウンリンク伝送に対応する。
【０００５】
ここで、本発明およびその利点をより完全に理解できるように、添付図面に関連付けた以下の説明を参照されたい。
【図面の簡単な説明】
【０００６】
【図１】異種ネットワーク（Ｈｅｔ−Ｎｅｔ）を示す図である。
【図２ａ】ＬＴＥおよびＬＴＥ−ＡにおけるＰＤＣＣＨおよびＰＤＳＣＨを備える１つのサブフレームを示す図である。
【図２ｂ】ＬＴＥおよびＬＴＥ−ＡにおけるＲ−ＰＤＣＣＨおよびＰＤＳＣＨを示す図である。
【図２ｃ】仕様３６．２１１に従ったリソース・ブロック（ＲＢ）を示す図である。
【図３ａ】異種ネットワーク（Ｈｅｔ−Ｎｅｔ）を示す図である。
【図３ｂ】対応するＤＬ／ＵＬリソースを示す図である。
【図４ａ】リソース・プール割り当てを示す図である。
【図４ｂ】Ａ／Ｎリソース・プール内部でのＡ／Ｎチャネルの特定の割り当ての一実施形態を示す図である。
【図５】アップリンク・リソース・ブロック内部でのＡ／Ｎチャネルの特定の割り当ての一実施形態を示す図である。
【図６】リソース割り当ての一実施形態を示す図である。
【発明を実施するための形態】
【０００７】
以下、現在好ましい実施形態の作成および使用を詳細に論じる。しかし、本発明が、多くの適用可能であり進歩性のある概念を提供し、これらの概念は、多様な特定の文脈で具現化することができることを理解すべきである。論じる具体的な実施形態は、本発明を作成および使用するための具体的な様式の例示にすぎず、本発明の範囲を限定はしない。
【０００８】
本発明を、特定の文脈での実施形態に関して、すなわちＣｏＭＰで肯定応答／否定応答（Ａ／Ｎ）情報をフィードバックするための方法に関して論じる。しかし、本発明は、任意の他の通信ネットワークのためのＡ／Ｎ情報フィードバック法にも当てはまることがある。
【０００９】
ＣｏＭＰは、ＬＴＥ−Ａｄｖａｎｃｅｄ（ＬＴＥ−Ａ）において、高データ・レートのカバレッジを改良する、セル・エッジ・スループットを改良する、および／または高ロード・シナリオと低ロード・シナリオとの両方でシステム・スループットを高めるためのツールとみなされる。ダウンリンク協調マルチポイント伝送は、複数の伝送ポイント間の協調を意味する。
【００１０】
ジョイント処理（ＪＰ）が、ＣｏＭＰ方式の１つであり、これは、ジョイント伝送と動的ポイント選択とを含む。ジョイント伝送は、データを複数の伝送ポイントから単一のＵＥに同時に伝送することを意味する。動的ポイント選択は、一度に１ポイントから物理ダウンリンク共有チャネル（ＰＤＳＣＨ）データを伝送することを意味する。
【００１１】
異種ネットワーク（Ｈｅｔ−Ｎｅｔ）は、高い加入者密度の領域または低カバレッジ領域内でのパフォーマンスを改良する助けとなるように、典型的にはサービスプロバイダによって計画的ネットワークとして展開されるフルパワーセル、例えばマクロ・セルと、サービスプロバイダおよび／または加入者によって展開されることがある低パワーノード（ＬＰＮ）、例えばピコ・セルやフェムト・セルとから構成された通信システムとして表すことができる。
【００１２】
ＬＴＥ−Ａに関する標準化団体は、ＣｏＭＰ検討項目の一部としてＣｏＭＰ技法の広範な評価を行っている。４つの合意されている展開シナリオは、以下のようなものである。
【００１３】
−  シナリオ１：サイト内ＣｏＭＰを備える同種ネットワーク
−  シナリオ２：高Ｔｘパワーのリモートラジオヘッド（Ｒｅｍｏｔｅ  Ｒａｄｉｏ  Ｈｅａｄ：ＲＲＨ）を備える同種ネットワーク
−  シナリオ３：マクロ・セル・カバレッジ内部に低パワーＲＲＨを備える異種ネットワークであって、ＲＲＨによって作成される送信／受信ポイントがマクロ・セルとは異なるセルＩＤを有する異種ネットワーク
−  シナリオ４：マクロ・セル・カバレッジ内部に低パワーＲＲＨを備える異種ネットワークであって、ＲＲＨによって作成される送信／受信ポイントがマクロ・セルと同じセルＩＤを有する異種ネットワーク
【００１４】
ＦＤＤ（周波数分割複信）およびＴＤＤ（時分割複信）システムでは、セルは、ネットワークからＵＥに情報を搬送するダウンリンク・リソースと、ＵＥからネットワークに情報を搬送するアップリンク・リソースとを有する。
【００１５】
ダウンリンク（ＤＬ）およびアップリンク（ＵＬ）制御データ伝送は、複数の連続するサブフレームから構成される無線フレーム内で編成されることがある。各サブフレームは、いくつかの連続するＯＦＤＭシンボルを備えることがある。通常のＤＬサブフレームでは、ＯＦＤＭシンボルは、制御領域とデータ領域とに分割される。制御領域は、物理ダウンリンク制御チャネル（ＰＤＣＣＨ）を備えることがあり、データ領域は、物理ダウンリンク共有チャネル（ＰＤＳＣＨ）を備えることがある。データ領域は、制御領域の後に続く。これは、図２ａに示される。
【００１６】
Ｒ−ＰＤＣＣＨ（ｒｅｌａｙ  ＰＤＣＣＨ）／Ｅ−ＰＤＣＣＨ（ｅｎｈａｎｃｅｄ  ＰＤＣＣＨ）とＰＤＳＣＨ／ＰＵＳＣＨとの関係は、リソース占有方式が異なる以外は、ＰＤＣＣＨとＰＤＳＣＨ／ＰＵＳＣＨとの関係と同様である。図２ｂで、Ｒ−ＰＤＣＣＨ（縦線のハッチングで示されるボックス）とＰＤＳＣＨ（白抜きのボックス）は、タイム・スロット内で周波数分割多重化される。周波数領域内で、１組のＲＢが、生じ得るＲ−ＰＤＣＣＨ伝送に関して半静的に構成され、その１組のＲＢからのサブセットを、図２ｂに示される各Ｒ−ＰＤＣＣＨに関して割り振ることができる。ＬＴＥ−Ａ  Ｒｅｌｅａｓｅ−１０では、Ｒ−ＰＤＣＣＨは、ドナーｅＮＢ（ＤｅＮＢ）によって、ＤｅＮＢと中継ノードとの間のバックホール・リンクでの伝送をスケジュールするために使用される。
【００１７】
ＰＤＣＣＨ領域は、ＰＤＣＣＨに割り振ることができる制御チャネル要素（ＣＣＥ）を備える。ＣＣＥにマッピングされるＰＤＤＣＨの数の設定はフレキシブルである。アグリゲーション・レベルに応じた所与のＵＥのＰＤＣＣＨ候補を、ＵＥの探索空間（１群の連続するＣＣＥ）にマッピングすることができる。
【００１８】
ＵＥは、対応するＰＤＳＣＨを獲得する前、または物理アップリンク共有チャネル（ＰＵＳＣＨ）を送信する前に、まずＰＤＣＣＨを検出することができる。複数のＰＤＣＣＨが制御領域内で多重化される。ＵＥは、サブフレームの制御領域内で、その探索空間内のＰＤＣＣＨをブラインド・サーチすることができる。ＵＥが適切なＰＤＣＣＨを検出することができない場合、そのＵＥのためのＰＤＣＣＨはこのサブフレーム内に存在しない。
【００１９】
次に図２ｃを参照すると、仕様３６．２１１に従って、各スロット内の伝送される信号は、
（外１）
2014531152.tif 000003
個のサブキャリアと、
（外２）
2014531152.tif 000004
個のＯＦＤＭシンボルとのリソース・グリッドによって記述され、ここで、
（外３）
2014531152.tif 000005
は、ダウンリンクＲＢの数を表し、
（外４）
2014531152.tif 000006
は、リソース・ブロック内のリソース要素の数を表し、
（外５）
2014531152.tif 000007
は、スロット内のＯＦＤＭシンボルの数である。アンテナ・ポートｐに関するリソース・グリッド内の各要素は、リソース要素と呼ばれ、スロット内のインデックス対（ｋ，ｌ）によって一意に識別され、ここで、
（外６）
2014531152.tif 000008
および
（外７）
2014531152.tif 000009
は、それぞれ周波数領域内および時間領域内のインデックスである。
【００２０】
仕様３６．２１１のセクション６．２．４．に従って、リソース要素への制御チャネルのマッピングを定義するためにリソース要素グループが使用される。リソース要素グループは、グループ内の最小のインデックスがｋであり、グループ内のすべてのリソース要素が同じ値ｌを有する場合、リソース要素のインデックス対（ｋ’，ｌ’）によって表される。リソース要素グループ内のリソース要素の組（ｋ，ｌ）は、構成されるセル固有基準信号の数に依存する。リソース要素グループは、４つのリソース要素からなる。
【００２１】
標準規格３６．２１３のセクション９．１．１．のパラグラフ２９〜３４に従って、物理ダウンリンク制御チャネルは、スケジューリング割当ておよび他の制御情報を搬送する。物理制御チャネルは、１つまたは複数の連続する制御チャネル要素（ＣＣＥ）のアグリゲーションで伝送され、制御チャネル要素は、９個のリソース要素グループに対応する。ＰＣＦＩＣＨまたはＰＨＩＣＨに割り当てられないリソース要素グループの数は、ＮＲＥＧである。システム内で利用可能なＣＣＥは、０〜ＮＣＣＥ−１の番号を付され、ここで、
（外８）
2014531152.tif 000010
である。ＰＤＣＣＨは、表１に列挙される複数のフォーマットをサポートする。ｎ個の連続するＣＣＥからなるＰＤＣＣＨは、ＣＣＥがｉ  ｍｏｄ  ｎ＝０を満たしたときにのみスタートしてもよく、ここで、ｉはＣＣＥの数である。複数のＰＤＣＣＨをサブフレーム内で伝送することができる。
【００２２】
【表１】
2014531152.tif 000011
【００２３】
制御領域は、０〜ＮＣＣＥ，ｋ−１の番号を付された１組のＣＣＥからなり、ここで、ＮＣＣＥ，ｋは、サブフレームｋの制御領域内にあるＣＣＥの総数である。ＵＥは、あらゆる非ＤＲＸ（間欠受信）サブフレーム内の制御情報に関して１組のＰＤＣＣＨ候補を監視することができ、ここで、監視は、組内の各ＰＤＣＣＨを、監視されるすべてのダウンリンク制御情報（ＤＣＩ）フォーマットに従って復号することを試行することを意味する。監視対象のＰＤＣＣＨ候補の組は、探索空間に関して定義され、ここで、アグリゲーション・レベルＬ∈｛１，２，４，８｝での探索空間
（外９）
2014531152.tif 000012
が、１組のＰＤＣＣＨ候補によって定義される。探索空間
（外１０）
2014531152.tif 000013
のＰＤＣＣＨ候補ｍに対応するＣＣＥは、
（外１１）
2014531152.tif 000014
によって与えられ、ここで、Ｙｋは、以下に定義されるものであり、ｉ＝０，…，Ｌ−１であり、ｍ＝０，…，Ｍ（Ｌ）−１である。Ｍ（Ｌ）は、所与の探索空間内の監視対象のＰＤＣＣＨ候補の数である。
【００２４】
ＵＥは、アグリゲーション・レベル４および８それぞれでの１つの共通探索空間と、アグリゲーション・レベル１、２、４、８それぞれでの１つのＵＥ固有探索空間とを監視することができる。共通探索空間とＵＥ固有探索空間とは重なり合うことがある。探索空間を定義するアグリゲーション・レベルは、表２に列挙される。ＵＥが監視することができるＤＣＩフォーマットは、構成される伝送モードに依存することがある。
【００２５】
【表２】
2014531152.tif 000015
【００２６】
共通探索空間に関して、Ｙｋは、２つのアグリゲーション・レベルＬ＝４とＬ＝８については０に設定される。アグリゲーション・レベルＬでのＵＥ固有探索空間
（外１２）
2014531152.tif 000016
に関して、変数Ｙｋは、Ｙｋ＝（Ａ・Ｙｋ−１）  ｍｏｄ  Ｄによって定義され、ここで、Ｙ−１＝ｎＲＮＴＩ≠０、Ａ＝３９８２７、Ｄ＝６５５３７、および
（外１３）
2014531152.tif 000017
であり、ｎｓは、無線フレーム内のスロット数である。ｎＲＮＴＩに使用されるＲＮＴＩ（無線ネットワーク一時識別子）値は、ＵＥに関して様々であることがあり、ＵＥは、異なる目的のため、例えば異なるトラフィックのために同時に複数のＲＮＴＩを有することができる。
【００２７】
ハイブリッド自動再送要求（Ｈｙｂｒｉｄ  ＡＲＱまたはＨＡＲＱ）は、ＡＲＱ誤り制御法を使用した、前方誤り訂正符号化と誤り検出との組合せである。ＡＲＱでは、巡回冗長検査（ＣＲＣ）コードなど誤り検出コードを使用して、伝送すべきデータに冗長ビットが追加される。Ｈｙｂｒｉｄ  ＡＲＱでは、訂正可能でない誤りを検出するために、ＡＲＱに依拠しながら、すべての誤りのサブセットを訂正するために、既存の誤り検出（ＥＤ）ビット（例えばＣＲＣ）に前方誤り訂正（ＦＥＣ）ビット（リード−ソロモン符号、畳み込み符号、またはターボ符号など）が追加される。
【００２８】
標準規格３６．２１３のセクション１０．１に従って、伝送が正常に復号されたか否かを示すために、肯定応答（ＡＣＫ）または否定応答（ＮＡＣＫ）が送信機に返される。
【００２９】
サブフレームｎ内のアップリンク制御情報（ＵＣＩ）は、
−  ＵＥがサブフレームｎ内のＰＵＳＣＨで伝送していない場合、フォーマット１／１ａ／１ｂまたは２／２ａ／２ｂを使用して物理アップリンク制御チャネル（ＰＵＣＣＨ）で伝送されるものとし、
−  ＵＥがサブフレームｎ内のＰＵＳＣＨで伝送している場合、ＰＵＳＣＨ伝送が、ランダムアクセス応答グラント、または競合ベースのランダムアクセス手順の一部と同じトランスポートブロックの再伝送に対応しない限り、ＰＵＳＣＨで伝送されるものとする。その場合には、ＵＣＩは伝送されない。
【００３０】
ＰＵＣＣＨでのアップリンク制御情報の以下の組合せがサポートされる。
−  ＰＵＣＣＨフォーマット１ａまたは１ｂを使用するＨＡＲＱ−ＡＣＫ
−  チャネル選択を伴うＰＵＣＣＨフォーマット１ｂを使用するＨＡＲＱ−ＡＣＫ
−  ＰＵＣＣＨフォーマット１を使用するスケジューリング要求（ＳＲ）
−  ＰＵＣＣＨフォーマット１ａまたは１ｂを使用するＨＡＲＱ−ＡＣＫおよびＳＲ
−  ＰＵＣＣＨフォーマット２を使用するＣＱＩ
−  ＰＵＣＣＨフォーマットを使用するＣＱＩおよびＨＡＲＱ−ＡＣＫ
−  ノーマル・サイクリック・プレフィックスに関する２ａまたは２ｂ
−  拡張サイクリック・プレフィックスに関する２
【００３１】
ＰＵＣＣＨフォーマット２、２ａ、および２ｂのスクランブリング初期化は、Ｃ−ＲＮＴＩによるものである。上位レイヤによって提供されるパラメータＳｉｍｕｌｔａｎｅｏｕｓ−ＡＮ−ａｎｄ−ＣＱＩ（「同時のＡＮとＣＱＩ」）は、ＵＥが、同じサブフレーム内のＰＵＣＣＨでＣＱＩとＨＡＲＱ−ＡＣＫとの組合せを伝送することができるかどうか決定する。ＦＤＤに関して、ＵＥは、サブフレームｎ内でのＨＡＲＱ−ＡＣＫの伝送のためにＰＵＣＣＨリソース
（外１４）
2014531152.tif 000018
を使用するものとする。ここで、
−  サブフレームｎ−４内の対応するＰＤＣＣＨの検出によって示されるＰＤＳＣＨ伝送に関して、またはサブフレームｎ−４内のダウンリンク半永続的スケジューリング（ＳＰＳ）リリース（３６．２１３のセクション９．２によって定義される）を示すＰＤＣＣＨに関して、ＵＥは、
（外１５）
2014531152.tif 000019
を使用するものとし、ここで、ｎＣＣＥは、対応するＤＣＩ割当ての伝送に使用される最初のＣＣＥの数であり、
（外１６）
2014531152.tif 000020
は、上位レイヤによって構成される。
−  サブフレームｎ−４内で検出される対応するＰＤＣＣＨが存在しないＰ
ＤＳＣＨ伝送に関しては、
（外１７）
2014531152.tif 000021
の値は、上位レイヤのコンフィギュレーションに従って決定される。
【００３２】
ＵＥは、典型的には、セルのＤＬリソース内で制御シグナリングおよびデータを受信し、同じセルのＵＬリソース内で制御シグナリングおよびデータを返す。例えば、ＣｏＭＰシナリオ３が、図１に示されている。ここでは、大きな（フルパワー）セルまたはマクロ・セルＡが、大きな領域をカバーし、ピコ・セルやフェムト・セルなどの小さなセル（セルＢ〜Ｄ）が、より小さな領域をカバーする。ユーザ装置ＵＥ１、ＵＥ２は、ＨｅｔＮｅｔ内部で自由に移動することができる。それらのＵＥは、異なるセルと通信することがある。例えば、ＵＥ１は、セルＡ内に位置され、セルＡと双方向通信する。一方、ＵＥ２は、セルＢの領域内に位置され、セルＢと双方向通信する。
【００３３】
ＵＥが、コード化されたデータをセルから受信するとき、ＵＥは、データが正常に受信されたか否かを送信機に知らせるために、肯定応答（ＡＣＫ）または否定応答（ＮＡＣＫ）をフィードバックする必要がある。ＵＥは、ＵＬリソース内のＰＵＣＣＨチャネルでＡＣＫまたはＮＡＣＫ（Ａ／Ｎ）を伝送することができる。Ａ／Ｎチャネルは、前述したように、ＵＬリソースのＰＵＣＣＨ内で所定の位置を有してもよい。
【００３４】
図３Ａに示されるように、ＵＥがセルＢのエッジに近い領域に沿って移動する、またはセルＢのエッジに近い領域内で移動する場合、そのＵＥに関して問題が生じることがある。セルＢからＵＥへのＤＬ信号は、特にレンジ拡張が採用されるときには、セルＡからの高レベルの干渉を受けることがある。他方、ＵＥがセルＡよりもセルＢに近くにあるため、セルＢへのＵＬチャネル品質は、セルＡへのＵＬチャネル品質よりも良いことがある。セルＢでの受信パワーは、セルＡでの受信パワーよりも良いことがある。
【００３５】
一実施形態では、ＵＥは、セルＡからＤＬ１５０信号を受信し、セルＢにＵＬ１６０信号を送信する。これは、システム（Ｈｅｔ−Ｎｅｔ）の受信性能を改良するので、有利であることがある。セルＢのエッジに位置するＵＥに関して、ＵＥは、セルＡから信号を受信することができ、また、セルＢに信号、例えばＡ／Ｎ信号を送信することができる。セルＢに通信されるこれらの追加のＡ／Ｎ信号により、より多くのＡ／Ｎチャネル・リソースがセルＢのＵＬ内に必要とされる。一実施形態では、セルＢのＵＬリソース内の未使用のＡ／Ｎチャネル・リソースが、セルＡのＤＬ伝送に関係付けられるＡ／Ｎ情報で満たされる。
【００３６】
図３Ｂは、セルＡのＤＬ伝送がセルＡのＵＬ伝送に対応し、セルＢのＤＬ伝送がセルＢのＵＬ伝送に対応するだけでなく、セルＡのＤＬ伝送がセルＢのＵＬ伝送に対応することもあることを示す。
【００３７】
図３Ｂは、各セルが少なくとも１つの基地局／アクセス・ポイントを備えること、または１つの基地局が少なくとも１つのセルをサービスすることを示す。基地局は、セルをサービスするための回路、例えば、アップリンク伝送を受信するように構成され、かつダウンリンク伝送を送信するように構成された回路を含むことがある。あるいは、基地局は、複数のセルをサービスするための回路を備えることがある。回路は、ベースバンド・チップ、ＲＦフロント・エンド・チップ、アンテナ回路、およびメモリ・チップを備えることがある。ベースバンド・チップは、変換、コード化、復号、マッピングなど、データの処理を行うように構成されることがある。
【００３８】
一実施形態では、Ｈｅｔ−Ｎｅｔなどのネットワークは、少なくとも１つの基地局によってサービスされる第１のセルと、少なくとも１つの基地局によってサービスされる第２のセルとを備える。第１のセルをサービスする基地局と第２のセルをサービスする基地局は、同じであっても異なっていてもよい。システム内を移動するＵＥは、物理層でのシグナリングによって第１の値を受信し、上位レイヤでのシグナリングによって第２の値を受信することがある。
【００３９】
ＵＥまたは移動局は、エンドユーザによって直接使用されるデバイスでよい。これは、携帯電話、モバイル・ブロードバンド・アダプタを装備されたラップトップ・コンピュータ、または任意の他のデバイスでよい。ＵＥは、ダウンリンク伝送を受信するように構成され、かつアップリンク伝送を送信するように構成された回路を備えることがある。ＵＥは、ベースバンド・チップ、ＲＦフロント・エンド・チップ、アンテナ回路、およびメモリ・チップを備えることがある。ベースバンド・チップは、変換、コード化、復号、マッピングなど、データの処理を行うように構成されることがある。
【００４０】
ＵＥは、第１のセル内のＡ／Ｎチャネル位置を計算することができ、ここで、Ａ／Ｎチャネル位置は、第１の値および第２の値に基づく。計算されたＡ／Ｎチャネル位置は、第１のセルのダウンリンク伝送、または第２のセルのダウンリンク伝送に対応することがある。計算されたＡ／Ｎチャネル位置は、ＰＤＣＣＨ伝送および／またはＥ−ＰＤＣＣＨ伝送などダウンリンク制御信号伝送、および／またはダウンリンクデータ伝送に対応することがある。
【００４１】
図４Ａは、元のＡ／Ｎチャネル・リソース・プールと、新たなＡ／Ｎチャネル・リソース・プールとを示す。元のＡ／Ｎチャネル・リソース・プールは、セルＢからＵＥへのダウンリンク伝送に対応することがあり、新たなＡ／Ｎチャネル・リソース・プールは、セルＡまたはセルＢからＵＥへのダウンリンク伝送に対応することがある。すなわち、新たなＡ／Ｎチャネル・リソース・プールは、セルＢ以外の１つまたは複数のセル（例えばセルＡ）で元々生じたＡ／Ｎチャネル・フィードバックを含む。新たなＡ／Ｎリソース・プールは、元のＡ／Ｎリソース・プールに隣接して配置されることがある。
【００４２】
１つのプロトコルによれば、１つのＵＬリソース・ブロック（ＲＢ）が、特定の数、例えば１８個のＡ／Ｎチャネルを提供する。ＲＢは、このＲＢで確保されている１つのＰＵＣＣＨチャネルが存在する限り、ＰＵＣＣＨのために使用される。例えば、１９個のＰＵＣＣＨチャネルが存在する場合、ｃｅｉｌｉｎｇ（１９／１８）＝２であるので、２つのＲＢが必要とされる。第２のＲＢは、ただ１つのＰＵＣＣＨチャネルを保持する。第２のＲＢの残りの１７個のＰＵＣＣＨチャネルは、確保されているが、占有されていない。
【００４３】
第２のＲＢ内の残りのチャネルは、ＤＬ  ＣＣＥの数の方が大きいため、ＰＵＣＣＨチャネルのために確保されているが、占有されていない。以下の表３は、様々な場合に必要とされるＡ／Ｎチャネルの数を示し、この数は、ＤＬ  ＣＣＥの数に等しい。例えば、表３は、ＮＲＢ＝１５、Ｎｇ＝２、ポート＝１、およびＣＦＩ＝１に関して、必要とされるチャネルが１であること、または同様に、ＮＲＢ＝２５、Ｎｇ＝２、ポート＝１、およびＣＦＩ＝１に関して、必要とされるチャネルが２であることを示す。大抵の場合には、確保されているが占有されていないＰＵＣＣＨチャネルの総数は、ゼロではない。確保されているが利用されていないチャネルは、１０個を超えることがよくある。
【００４４】
【表３】
2014531152.tif 000022
【００４５】
既に存在している未使用のＡ／Ｎチャネルをまず利用し、その後、データ伝送のために予め割り当てられている全く新しいＲＢを割り当て始めることが有利である。その結果、セルＢに信号を送信し、１つまたは複数の他のセルから信号を受信するＵＥは、元のＡ／Ｎチャネル・リソース・プールのサイズについて情報を得るはずである。元のＡ／Ｎチャネル・リソース・プールのサイズは、１つのパラメータ、または１組のパラメータに基づく。例えば、元のＡ／Ｎチャネル・リソース・プールのサイズは、セルＢのサブフレームのＣＣＥの数に依存することがある。ＣＣＥの数は、サブフレーム毎に変わることがあり、したがって元のＡ／Ｎチャネル・リソース・プールのサイズを変えることがある。サブフレーム内のＣＣＥの数は、１組のパラメータによって決定されることがあり、そのようなパラメータは、例えば、システム帯域幅、セルＢのＤＬ制御領域での占有されているＯＦＤＭシンボルの数（これは、ダイナミック物理ＣＦＩチャネル（ＰＣＦＩＣＨ）でのＣＦＩ（制御フォーマット・インジケータ）値によって示される）、アンテナ・ポートの数、および物理ブロードキャスト・チャネル（ＰＢＣＨ）（Ｎｇ）内でシグナリングされる物理ＨＡＲＱインジケータ・チャネル（ＰＨＩＣＨ）リソースである。これらのパラメータの一例は、上の表３に提供されている。
【００４６】
一実施形態では、新たなＡ／Ｎリソース・プールは、１つまたは複数の別個の新たなＲＢ内に形成されることもある。新たなＡ／Ｎリソース・プールは、元のＡ／Ｎリソース・プールの最後のＲＢに隣接して、またはそのＲＢの隣に配置されることがある。また、ＵＥは、元のＡ／Ｎチャネル・リソース・プールのサイズについて情報を得ることもある。ＵＥは、残りの利用可能なＰＵＳＣＨ  ＲＢの数を計算するのと同様に、ＰＵＣＣＨに関してすべてのＲＢが確保されていると仮定して、元のＡ／Ｎリソース・プールに関するＲＢの数を計算することができる。
【００４７】
ＣｏＭＰでのＵＥは、典型的には、セルＡおよびセルＢのコンフィギュレーションについて十分な情報を得ている。ＵＥは、セルＢのＣＣＥの数について十分な情報を得ていることがあり、Ａ／Ｎチャネルの新たなプールの開始点を見出して／計算して、既存のＲＢの残りのチャネルを使用する、および／または別個のＲＢを使用する。新たなＡ／Ｎリソース・プールの開始点を設定するためのパラメータは、動的ＣＦＩ値でよい。別のセルの動的ＣＦＩ値をＵＥに提供するための一方法は、セルＡのＤＬ伝送での巡回冗長検査（ＣＲＣ）ビットに動的ＣＦＩ値をマスクすることである。ＵＥのＲＮＴＩは、既に、ＵＥのＤＬ伝送のＣＲＣに関するマスクであり、より多くの情報がＣＲＣにマスクされる場合、組み合わされたマスクは、別の一連の２値ビットであり、これは別のＲＮＴＩである。これは、通信のために複数のＲＮＴＩをＵＥに与えることと等価であり、ＵＥは、ＲＮＴＩをデマスクして、ＣＦＩ値を取得する。
【００４８】
代替として、現在のＤＣＩでの１つまたは複数のフィールドを再使用することによって、または動的ＣＦＩ値を搬送するための新たなフィールドを作成することによって、ＣＦＩ値がＵＥに明示的に提供されることがあるが、これは、ブラインド・デコーディング試行の回数を増やすことがある。ブラインド・デコーディング試行の回数を減少させるために、１つまたは複数の新たな伝送モードが必要とされることがある。
【００４９】
図４ｂは、Ａ／Ｎチャネルの新たなプール内部の特定のＡ／Ｎチャネルの相対位置を示す。Ａ／Ｎチャネルの新たなプール内のＡ／Ｎチャネルの相対位置は、非常にゆっくりと変化することがあるので、半静的に示すことができる。ＵＥは、上位レイヤでのシグナリング、例えば無線リソース制御（ＲＲＣ）層でのシグナリングによって、Ａ／Ｎチャネルの新たなプール内の特定のＡ／Ｎチャネルを示すことができる。
【００５０】
一実施形態では、上位レイヤ、例えばＲＲＣ層が、Ａ／Ｎチャネルの新たなプール内部でのＡ／Ｎチャネルの相対位置、または元のＡ／Ｎチャネル・リソース・プールに対する相対位置を半静的にＵＥに示し、次いで、元のＡ／Ｎチャネル・リソース・プールのサイズについてＵＥに動的に知らせる。これは、元のＡ／Ｎチャネル・リソース・プールのサイズが動的に変化するからである。
【００５１】
例えば、相対位置５をＵＥに示し、次いで、ＰＤＣＣＨシンボルの数が２であることを示すＣＦＩ値をＵＥに知らせる。元のＡ／Ｎチャネル・リソース・プールの正確なサイズ、または元のＡ／Ｎチャネル・リソース・プールに関する確保されているＲＢの数をＵＥが決定する助けとなるように、ＵＥは、ＰＨＩＣＨパラメータやシステム帯域幅など他の情報を受信することがある。別の例では、ＵＥは、単にシステム帯域幅を受信し、最大数のＣＣＥをもたらす最小のＰＨＩＣＨパラメータを仮定する。したがって、ＣｏＭＰ  ＵＥに関する式は、
（外１８）
2014531152.tif 000023
となることがあり、ここで、
（外１９）
2014531152.tif 000024
は、ＰＵＣＣＨチャネル位置である。ｎは、Ａ／Ｎチャネルの新たなプールの開始点であり、ここでは、ＵＥがアタッチしたセルのシステム帯域幅、ＣＦＩ、およびＮｇに応じて決まるＣｏＭＰ  ＵＥ  ＰＵＣＣＨ領域である。
（外２０）
2014531152.tif 000025
は、上位レイヤでのシグナリング、例えばＲＲＣ層でのシグナリングによって示される。
【００５２】
ＵＥは、パラメータおよびシグナリングを取得して、セルＡからのそのＵＥのＤＬ伝送に対応するセルＢに割り当てられたそのＵＥのＵＬ  Ａ／Ｎチャネルを検出／計算することができる。
【００５３】
また、この方法は、Ｒ−ＰＤＣＣＨ、またはＲ−ＰＤＣＣＨと同様にスケジュールされたセルＡもしくはセルＢでの伝送（例えばＥ−ＰＤＣＣＨ）のＡ／Ｎフィードバックに関して使用することもできる。セルＢでのＥ−ＰＤＣＣＨの場合、ＵＥは、セルＢでのＰＣＦＩＣＨによってＣＦＩ値を知る。Ａ／Ｎチャネルの新たなプールの開始点は、元のＡ／Ｎリソース・プール以外の要因、例えばセルＢのＲ−ＰＤＣＣＨ／Ｅ−ＰＤＣＣＨに対応するＡ／Ｎリソースによって決定されることがある。しかし、ＣＦＩ値の指示方法は、新たな要因、すなわちＵＥがそのＡ／Ｎチャネルを見出す／計算するために使用することができる何らかの関連する値に拡張することもでき、その値は物理層シグナリングによって動的に示される。
【００５４】
一実施形態では、セルＡのＤＬ伝送に対応するセルＢのＵＬでのＡ／Ｎチャネル位置は、セルＡのＤＬでのＣＣＥインデックスに基づく。図５から分かるように、仮にＡ／ＮチャネルがセルＢのＵＬリソース内で伝送されるとすれば、セルＡのＵＬリソース内に位置されているはずであるので、Ａ／Ｎチャネルは、セルＢのＵＬリソース内の「同じ」物理的位置に配置される。
【００５５】
図６は、セルＢの元のＡ／ＮチャネルにセルＡの新たなＡ／Ｎチャネルを割り当てるさらなる実施形態を示す。ＰＤＣＣＨは、それらのアグリゲーション・レベルに応じて、複数のＣＣＥを占有することがある。例えば、第１のＰＤＣＣＨ６０１と第２のＰＤＣＣＨ６０２はそれぞれ１つのＣＣＥを占有し、第３のＰＤＣＣＨ６０３は２つのＣＣＥを占有し、第４のＰＤＣＣＨ６０４は４つのＣＣＥを占有し、第５のＰＤＣＣＨ６０５は８つのＣＣＥを占有し、したがって、１つ、２つ、４つ、および８つのＡ／Ｎチャネルが確保される。ＵＥは、Ａ／Ｎ信号をフィードバックするために、元のＡ／Ｎチャネル・リソース・プール内でそのＵＥのために確保されている最初のＡ／Ｎチャネル６０６〜６１０のみを使用することがある。残りのＡ／Ｎチャネル６０７〜６１１は占有されない。さらに、ＵＬグラントも制御領域内で割り振られ、ＵＬグラントはＡ／Ｎチャネルを必要としないが、ＵＬグラントも特定数のＣＣＥを占有するので、対応するＡ／Ｎチャネルがやはり確保される。したがって、元のリソース・プールの残りの占有されていないＡ／Ｎチャネル６０７〜６１１は、セルＡでのダウンリンク伝送に対応するＡ／Ｎチャネル割り当てに利用可能であることがある。
【００５６】
一実施形態では、１つまたは複数の関数が、セルＡからのＡ／ＮチャネルをセルＢにマッピングするために使用されることがある。１つのそのような関数は、ＰＤＣＣＨ探索空間内で使用されるハッシュ関数である。（１つまたは複数の）関数は、仕様書に指示または定義されていることがあるので、ＵＥおよびセルによって知られていることがある。例えば、セルＡは、Ａ／Ｎチャネル・インデックスをＵＥに直接示す。
【００５７】
この方法によって、Ａ／Ｎチャネルが１つまたは複数の他のセルのＤＬ伝送に対応しているとき、またはＡ／Ｎチャネルが同じセルのＤＬ伝送に対応しているが、元のＡ／Ｎリソース・プールとの対応関係を有さないときに、新たなＡ／Ｎリソース・プールにＡ／Ｎチャネルを示すことができる。第２に、この方法は、上位レイヤによる相対情報のみを示し、したがって値範囲が限定され、また、より少数のビットしか必要としないことがあり、上位レイヤのオーバーヘッドを減少させる。
【００５８】
最後に、新たなＡ／Ｎリソース・プールが元のＡ／Ｎリソース・プールに隣接する場合、ＵＬシングルキャリア特性を保存することができる。さらに、一実施形態では、占有されていないＡ／Ｎチャネルをまず利用することで、リソースの浪費を減少させることができ、これは、システム帯域幅が小さい場合には有利である。
【００５９】
例示的実施形態を参照して本発明を説明してきたが、本明細書における説明は、限定の意味合いとは解釈されないものと意図される。例示的実施形態の様々な修正形態および組合せ、ならびに本発明の他の実施形態は、本明細書における説明を参照すれば当業者には明らかであろう。したがって、添付の特許請求の範囲が任意のそのような修正形態または実施形態を包含するものと意図される。
【図１】
2014531152.tif 000026
【図２ａ】
2014531152.tif 000027
【図２ｂ】
2014531152.tif 000028
【図２ｃ】
2014531152.tif 000029
【図３ａ】
2014531152.tif 000030
【図３ｂ】
2014531152.tif 000031
【図４ａ】
2014531152.tif 000032
【図４ｂ】
2014531152.tif 000033
【図５】
2014531152.tif 000034
【図６】
2014531152.tif 000035
【国際調査報告】
2014531152.tif 000036
2014531152.tif 000037